(57)【要約】カーリング・アイロンが、それらの長さ方向軸に対して非対称な断面形状を有する２つの加熱チップと結合された２つのハンドルを有して提供される。少なくとも１つの加熱チップが、ハンドルに沿った長さ方向の軸に沿って回転するようにそのハンドルと回転自在に結合されている。したがって、互いに異なった加熱チップ接触面が選択されるように、加熱チップの断面形状を互いに対して向き合わせるためにハンドルの長さに沿った軸の周りに加熱チップを回転させることによって、カーリング・アイロンは、（１）毛髪を異なるカール形状及び異なるきつさをカールさせるため、及び（２）毛髪を真直ぐにする又は平らにするために使用されることができる。各カーリング・アイロン・ハンドルは、ハンドル内のワイヤが、互いに異なった加熱チップと脱着可能に接続され、そのハンドルと結合された加熱要素に給電するための電源コードと脱着可能に接続されることができるように、取外し可能又は脱着可能な加熱チップ及び電源コード接合部を備える。
2005538797.tif 000002
【特許請求の範囲】
【請求項１】
第１の加熱要素を有する第１の加熱チップと、
第２の加熱要素を有する第２の加熱チップと、
第１のハンドルの近端部を前記第１の加熱チップの近端部と結合するための第１の回転自在な結合部であって、前記第１の回転自在な結合部が、前記第１の加熱チップを第１の回転角に回転させるための前記第１のハンドルに沿った長さ方向の第１の回転軸を備える結合部と、
第２のハンドルの近端部を前記第２の加熱チップの近端部と結合するための第２の結合部と、
前記第１の加熱チップが前記第２の加熱チップから離れている解放位置と、前記第１の加熱チップが接触面に沿って前記第２の加熱チップと接触している閉鎖位置とにするために、前記第１のハンドルの遠端部を前記第２のハンドルの遠端部と開閉自在に結合するヒンジとを備えるカーリング・アイロン。
【請求項２】
前記第１の加熱チップが、第１のほぼ凸型の曲面を第２の異なるほぼ凸型の曲面と接合することによって形成されたほぼ楕円形の断面をさらに備え、前記第２の加熱チップが、ほぼ凹型の曲面で中断されるほぼ円形の曲面によって形成されたほぼ三日月型の断面をさらに備える請求項１に記載のカーリング・アイロン。
【請求項３】
前記接触面が、前記第１の回転角が０度程度であるとき、前記第１の加熱チップの第１のほぼ凸型の曲面と前記第２の加熱チップのほぼ凹型の曲面との間の接触によって形成された面を備える請求項２に記載のカーリング・アイロン。
【請求項４】
前記接触面が、前記第１の回転角が１８０度であるとき、前記第１の加熱チップの第２の異なるほぼ凸型の曲面と前記第２の加熱チップのほぼ凹型の曲面との間の接触によって形成された面を備える請求項２に記載のカーリング・アイロン。
【請求項５】
前記第１の回転自在な結合部が、前記第１の加熱チップの前記第１の回転角を調節するために前記第１のハンドルに第１のレバーを備える請求項１に記載のカーリング・アイロン。
【請求項６】
前記第１の加熱要素が、前記第１の加熱要素に電力を供給するための第１の電線と結合され、
前記第２の加熱要素が、前記第２の加熱要素に電力を供給するための第２の電線と結合されている請求項５に記載のカーリング・アイロン。
【請求項７】
前記第１の電線と前記第２の電線を、前記第１のハンドルと前記第２のハンドルを介してそれぞれび結合させる電源コードをさらに備える請求項６に記載のカーリング・アイロン。
【請求項８】
前記第１の回転自在な結合部が、前記第１のレバーが前記第１の回転角を調節することを可能にするための第１の切込みと、前記第１のレバーの調節を前記第１の加熱チップに伝えるための第１のシャフトと、前記第１のハンドルを前記第１の加熱チップから離隔するための第１のスペーサと、前記第１のシャフトを前記第１の加熱チップに取り付けるための第１のアタッチメントとを備える請求項５に記載のカーリング・アイロン。
【請求項９】
前記第１の回転角が、０度から１８０度の間の範囲の角度である請求項５に記載のカーリング・アイロン。
【請求項１０】
前記第１の電線が、前記第１のシャフト内に配置された少なくとも１つの電線を備える請求項８に記載のカーリング・アイロン。
【請求項１１】
前記ヒンジが、前記第２のハンドルと前記第２の加熱チップが、前記第１の回転軸と前記第２のハンドルの前部面に沿った長さ方向の軸の間にある角度を形成するために、前記第１のハンドルと前記第１の加熱チップから遠ざかるように開らくことを可能にする請求項１に記載のカーリング・アイロン。
【請求項１２】
前記第１の回転軸と前記第２のハンドルの前部面に沿った長さ方向の軸の間の前記角度が、０度から２５度の間の範囲の角度である請求項１１に記載のカーリング・アイロン。
【請求項１３】
前記第１のハンドルと前記第２のハンドルを前記閉鎖位置から離れるように押圧するばねをさらに備える請求項１に記載のカーリング・アイロン。
【請求項１４】
前記第２の結合部が、前記第２の加熱チップを第２の回転角に回転させるための前記第２のハンドルに沿った長さ方向の第２の回転軸を備える第２の回転自在な結合部を備える請求項１に記載のカーリング・アイロン。
【請求項１５】
前記第１の加熱チップが、第１のほぼ凸型の曲面を第２の異なるほぼ凸型の曲面と接合することによって形成されたほぼ楕円形の断面と、前記第１のほぼ凸型の曲面に対向する第１のほぼ平坦な断面とを備え、前記第２の加熱チップが、ほぼ凸型の曲面によって中断されるほぼ円形の曲面によって形成されたほぼ三日月型の断面と、前記ほぼ凸型の曲面に対向する第２のほぼ平坦な断面とを備える請求項１４に記載のカーリング・アイロン。
【請求項１６】
前記接触面が、前記第１の回転角が１８０度程度であり、前記第２の回転角が１８０度程度であるときに形成される、前記第１のほぼ平坦な断面形状と前記第２のほぼ平坦な断面形状との間の接触によって形成された面である請求項１５に記載のカーリング・アイロン。
【請求項１７】
前記第２の回転自在な結合部が、前記第２の加熱チップの前記第２の回転角を調節するために前記第２のハンドルに第２のレバーを備える請求項１４に記載のカーリング・アイロン。
【請求項１８】
前記第２の回転自在な結合部が、前記第２のレバーが前記第２の回転角を調節することを可能にするための第２の切込みと、前記第２のレバーの調節を前記第２の加熱チップに伝えるための第２のシャフトと、前記第２のハンドルを前記第２の加熱チップから離隔するための第２のスペーサと、前記第２のシャフトを前記第２の加熱チップに取り付けるための第２のアタッチメントとを備える請求項１７に記載のカーリング・アイロン。
【請求項１９】
前記第２の回転角が、０度から１８０度の間の範囲の角度である請求項１７に記載のカーリング・アイロン。
【請求項２０】
前記第１の回転自在な結合部が、前記第１の加熱チップを前記第１のハンドルに取付けかつ解放するための第１の脱着可能な結合部をさらに備え、前記第２の回転自在な結合部が、前記第２の加熱チップを前記第２のハンドルに取付けかつ解放するための第２の脱着可能な結合部をさらに備える請求項１に記載のカーリング・アイロン。
【請求項２１】
前記カーリング・アイロンが、前記第１の脱着可能な結合部で前記第１のハンドルに取付けかつ解放するための少なくとも１つの異なる長さの第３の加熱チップと、前記第２の脱着可能な結合部で前記第２のハンドルに取付けかつ解放するための少なくとも１つの異なる長さの第４の加熱チップとをさらに備える請求項２０に記載のカーリング・アイロン。
【請求項２２】
カーリング・アイロンの第１の加熱チップを加熱させるために第１の加熱要素を加熱すること、
カーリング・アイロンの第２の加熱チップを加熱させるために第２の加熱要素を加熱すること、
前記第１の加熱チップを前記第２の加熱チップから分離すること、
第１の接触面を形成するために前記第１の加熱チップを前記第２の加熱チップに向かって押圧することによって毛髪の部分をカール付けすること、
前記第１の加熱チップを前記第２の加熱チップか分離すこと、
前記第１の加熱チップを前記第２の加熱チップに向かって第２に回転させるために前記第１の加熱チップに沿った長さ方向の第１の回転軸の周りに１８０度前記第１の加熱チップを回転させること、
第１の接触面を形成するために前記第１の加熱チップを前記第２の加熱チップに向かって押圧することによって毛髪の部分をカール付けし、前記第２の接触面が、前記第１の加熱チップと前記第２の加熱チップの間の接触によって形成された面であることとを含む方法。
【請求項２３】
第１の加熱チップが、第１のほぼ凸型の曲面を第２の異なるほぼ凸型の曲面に接合することによって形成されたほぼ楕円形の断面をさらに備え、前記第２の加熱チップが、ほぼ凹型の曲面で中断されたほぼ円形の曲面によって形成されたほぼ三日月型の断面をさらに備え、
前記第１の接触面が、前記第１の加熱チップの第１のほぼ凸型の曲面と前記第２の加熱チップの第１のほぼ凹型の曲面との接触によって形成された面であり、
前記第１の加熱チップを回転することが、前記第１の加熱チップの第２の異なるほぼ凸型の曲面を前記第２の加熱チップに向かって回転させることを含み、
前記第２の接触面が、前記第１の加熱チップの第２の異なるほぼ凸型の曲面と前記第２の加熱チップのほぼ凹型の曲面との接触によって形成された面である、請求項２２に記載の方法。
【請求項２４】
カーリング・アイロンの第１の加熱チップを加熱させるために第１の加熱要素を加熱すること、
カーリング・アイロンの第２の加熱チップを加熱させるために第２の加熱要素を加熱すること、
前記第１の加熱チップを前記第２の加熱チップから離すために前記第１の加熱チップを前記第２の加熱チップから遠ざかるように開くこと、
第１の接触面を形成するために前記第１の加熱チップに毛髪の部分を前記第２の加熱チップへ押し付けるように、前記第１加熱チップと回転自在に結合された第１のハンドルを前記第２加熱チップと回転自在に結合された第２のハンドルに向かって閉じることによって、毛髪の部分をカール付けすること、
前記第１の加熱チップを前記第２の加熱チップから離すために前記第１の加熱チップを前記第２の加熱チップから遠ざかるように開くこと、
前記第１の加熱チップを第２の加熱チップに向かって回転させるために前記第１のハンドルに沿った長さ方向の第１の回転軸の周りに前記第１の加熱チップを１８０度回転させるように、前記第１のハンドルの第１のレバーを調節することと、
前記第２の加熱チップを第１の加熱チップに向かって回転させるために前記第２のハンドルに沿った長さ方向の第２の回転軸の周りに前記第１の加熱チップを１８０度回転させるように、前記第２のハンドルの第２のレバーを調節することと、
第２の接触面を形成させるために前記第１の加熱チップに毛髪の部分を前記第２の加熱チップへ押し付けるように、前記第１の加熱チップと回転自在に結合された第１のハンドルを前記第２の加熱チップと回転自在に結合された第２のハンドルに向かって閉じることによって、毛髪の部分を平らにし、前記第２の接触面が、前記第１の加熱チップと前記第２の加熱チップの間の接触によって形成された面であることと含む方法。
【請求項２５】
第１の加熱チップが、第１のほぼ凸型の曲面を第２の異なるほぼ凸型の曲面と接合することによって形成されたほぼ楕円形の断面と、前記第１のほぼ凸型の曲面に対向する第１のほぼ平坦な断面形状とをさらに備え、前記第２の加熱チップが、ほぼ凹型の曲面で中断されたほぼ円形の曲面によって形成されたほぼ三日月型の断面と、前記ほぼ凸型の曲面に対向する第２のほぼ平坦な断面形状とをさらに備え、
前記第１の接触面が、前記第１の加熱チップの第１のほぼ凸型の曲面と前記第２の加熱チップの第１のほぼ凹型の曲面との接触によって形成された面からなり、
前記第１のハンドルで前記第１のレバーを調節することが、前記第１のほぼ平坦な断面形状を前記第２の加熱チップに向かって回転させることを含み、
前記第２のハンドルで前記第２のレバーを調節することが、前記第２のほぼ平坦な断面形状を前記第１の加熱チップに向かって回転させることを含み、
前記第２の接触面が、前記第１のほぼ平坦な断面形状と前記第２のほぼ平坦な断面形状との接触によって形成された面である、請求項２４に記載の方法。
【発明の詳細な説明】
【技術分野】
【０００１】
本発明は、カーリング・アイロン、特に、加熱チップの間の毛髪接触面の形状を調節するための回転自在な加熱チップを有する改良型のカーリング・アイロンに関する。
【背景技術】
【０００２】
加熱型カーリング・アイロンは、毛髪に本来なかったカールを付けるために毛髪をカールさせたり、毛髪に存在していたよじれ又はカールを除去するために毛髪を真直ぐにしたりして、毛髪を多種多様なスタイルにスタイリングするために一般に使用されている。たとえば、円筒形に形成されたカーリング・アイロン・チップの、加熱された外周面の周囲に毛髪を巻き付けることによって、円形又は半円形のカールを形成させることができる。また、ウェーブ又はカールしている毛髪に加熱された平坦なアイロン・チップを互いに押し付けて、毛髪を真直ぐにすることができる。また、毛髪をスタイリングするとき、毛髪のある部分をカールさせ、毛髪の他の部分を真直ぐにすることが望ましいことがある。また、最初に毛髪の本来のカールを除去するために毛髪の一部分を真直ぐにし、次に、真直ぐにされた毛髪を所望の形状に再びカールすることが望ましいこともある。
【発明の開示】
【発明が解決しようとする課題】
【０００３】
しかし、真直ぐにしたり、カールさせたりすることの両方によって毛髪をスタイリングするためには、一般に少なくとも２つのアイロンが必要とされる。現在のカーリング・アイロン技術では、毛髪を真直ぐにしたり、毛髪をカールさせたりするために、十分にかつ交換可能な単一のツールを提供していないため、あるアイロンが毛髪の部分を真直ぐにするのに必要であり、他のカーリング・アイロンが毛髪の部分をカールさせるのに必要である。したがって、必要であるのは、毛髪のスタイリングの間、交代させて、毛髪を真直ぐにしたり、毛髪をカールさせたりすることができる効果的で効率的なアイロンである。
【課題を解決するための手段】
【０００４】
カーリング・アイロンが、長さ方向軸に対して非対称な断面形状を有する２つの加熱チップと結合された２つのハンドルを備えている。少なくとも１つの加熱チップが、ハンドルに沿った長さ方向の軸に沿って回転するようにそのハンドルと回転自在に結合されている。したがって、互いに異なった加熱チップ接触面が選択されるように、加熱チップの断面形状を互いに対して向き合わせるようにハンドルの長さに沿った軸の周りに加熱チップを回転させることによって、本カーリング・アイロンは、（１）毛髪を異なるカール形状にかつ異なるきつさでカールさせるのに、及び（２）毛髪を真直ぐにする又は平らにするのに使用できる。
【０００５】
たとえば、実施態様は、（１）カーリング・アイロンの２つの加熱チップを互いから遠ざかるように分離すなわち開けること、（２）第１の加熱チップのほぼ凸型の断面と第２の加熱チップのほぼ凹型の断面の間の接触面に毛髪を押圧するために毛髪の部分の上で加熱チップを閉じること、（３）所望のカールが達成された後、毛髪の部分を取り外すために加熱チップを分離させること、（４）第１の加熱チップの異なるほぼ凸型の第２の曲面が第２の加熱チップに向かって回転されるように第１の加熱チップをハンドル軸の周りに回転させること、及び（５）回転された第１の加熱チップの異なるほぼ凸型の第２の曲面と第２の加熱チップのほぼ凹型の曲面の間の接触によって形成された異なる接触面内に毛髪を押圧するために毛髪の部分の上で加熱チップを再び閉じることによって、毛髪がスタイリングされることができるように、ほぼ楕円形の第１の加熱チップ断面とほぼ三日月形の第２の加熱チップ断面を備える。
【０００６】
また、実施態様は、（１）第１の加熱チップのほぼ凸型の第１の曲面と第２の加熱チップのほぼ凹型の曲面の間で毛髪を押圧すること、（２）カールされた毛髪の部分を取り外すために加熱チップを分離させること、（３）第１の加熱チップ断面の第１のほぼ平坦な部分が第２の加熱チップに向かって回転されるように第１のハンドルの長さに沿った長さ方向の第１の回転軸の周りに第１の加熱チップを回転させること、（４）第２の加熱チップ断面の第２のほぼ平坦な部分が、第１の加熱チップに向かって回転されるように第２のハンドルの長さに沿った第２の回転軸の周りに第２の加熱チップを回転させること、（５）第１の加熱チップのほぼ平坦な断面形状と第２の加熱チップのほぼ平坦な断面形状の間で毛髪を押圧することによって毛髪を平坦にする又は真直ぐにするために、毛髪の一部の上で加熱チップを閉じることによって、毛髪がスタイリングされることができるように、第１、第２の加熱チップ断面のほぼ平坦な形状の部分を備える。
【０００７】
また、本発明の実施態様は、カーリング・アイロン・ハンドルへ取外し可能すなわち脱着可能な加熱チップを備え、かつ電源コード接合部を備える。たとえば、本発明は、ワイヤを通じて給電される加熱要素を有する多くの加熱チップに脱着可能に接続するための脱着可能なコネクタを備えるワイヤを第１、第２のハンドル内に備える。また、第１、第２のハンドル内のワイヤは、ハンドルに取り付けられた加熱要素に電力を供給する電源コードとの接続のための脱着可能なコネクタをそれぞれ有する。
【発明を実施するための最良の形態】
【０００８】
本発明は、類似の符号が類似の要素を示す添付図面の図に、それに限定されるものとしてではなく、一例として示されている。本開示の「ある」又は「一」実施形態に対する参照は、必ずしも同じ実施形態に対するものではなく、このような参照は少なくとも１つを意味することに留意すべきである。
【０００９】
本発明の実施形態によると、カーリング・アイロンは、長さ方向軸に対して非対称な断面形状を有する２つの加熱チップと２つのハンドルがある。加熱チップの少なくとも１つが、ハンドルに沿った長さ方向軸に沿って回転するように、そのハンドルに回転自在に結合されている。加熱チップの断面形状を互いに対して向き合わせるためにハンドルの長さに沿った軸の周りに加熱チップを回転させることができ、様々なカール形状に、及びカールの「きつさ」（たとえばカールの「きつさ」は、カールの形状を含むためのカールの半径サイズ又はほぼ最大の円周を称する）で毛髪をカールさせるために、互いに異なった加熱チップ接触面を選択することができる。また、加熱チップを互いに対してハンドル軸に沿って回転させることによって、ある実施形態の加熱チップ断面形状を、ある方向へ回転さて、毛髪をカールさせるための異なった接触面となるように向けることができ、別の方向へ回転させて、毛髪を平らにするためにほぼ平坦な接触面となるように回転させることができる。
【００１０】
さらに、本発明の実施形態は、カーリング・アイロンのハンドルに接続したり、外したりするために、取外し可能又は脱着可能に結合させることができる加熱チップと電源コードを備える。したがって、本発明は、脱着自在なコネクタを有する第１、第２のハンドル内に、加熱要素を有する加熱チップにワイヤを通して給電するように脱着可能に接続され、かつ、加熱要素に電力を供給するための電源コードに脱着可能に接続されるワイヤを備えている。たとえば、第１、第２の加熱チップのそれぞれの加熱要素は、それらの要素から脱着可能な接続部へ第１、第２のハンドルを通る２組のワイヤを通して給電される。このようにして、本発明は、毛髪をスタイリングしている間、毛髪を真直ぐにすることと毛髪をカールさせることとの間で簡単に交代させることができる、効果的かつ効率的な単体のアイロンを提供する。
【００１１】
本明細書に記載したカーリング・アイロン技術の実施形態は、カーラー、ブラシ、クランプ・カーリング・ブラシ、スチーム・カーラー、ヘア・ローラー、ホット・ヘア・ローラー、ヘア・ストレーナ、ヘア・フラッタ、カーリング棒などの毛髪を整形するための他の互いに異なった毛髪処理又はスタイリング・デバイスに適用することができる。たとえば、図１は、本発明の一実施形態による、第１の回転自在な結合部を有するカーリング・アイロンの側面図である。図１に示すように、一般に１００で示すカーリング・アイロンは、第１の加熱要素１１２を有する第１の加熱チップ１１０と、第２の加熱要素１６２を有する第２の加熱チップ１６０とを備える。第１の回転自在な結合部１２０が、第１のハンドル１３０の隣接端部を第１の加熱チップ１１０の隣接端部と結合させ、第１の加熱チップを第１の回転角度１４２で回転させるための、第１のハンドルに沿った長さ方向の第１の回転軸１４０を有する。第１の回転軸１４０が、ハンドルに沿って長さ方向に走る軸、加熱チップの長さに沿って走る軸、加熱チップの間に形成された接触面に沿った軸などの、加熱チップの間に所望の接触面を提供するための他の異なった回転軸を有してもよいことに留意されたい。
【００１２】
また、図１に示すように、第２の結合部１７０は、第２のハンドル１８０の隣接端部を第２の加熱チップ１６０の隣接端部と結合してる。さらに、ハンドルが開いて、第１の加熱チップ１１０が第２の加熱チップ１６０から離隔すなわち分離された開放位置へ互いから遠ざかるように、第１のハンドルの遠端部１１０と第２のハンドルの遠端部１６０がヒンジ１５０によって開閉自在に結合されている。また、ヒンジ１５０は、第１のハンドル１３０と第２のハンドル１８０が、第１の加熱チップ１１０が第２の加熱チップ１６０と接触する、すなわち接触面１９０に沿って毛髪の一部分を押圧するときの閉鎖位置へ互いに向かって閉じさせる。
【００１３】
本発明の実施形態は、チップに沿って長さ方向に走る軸、又は加熱チップの間に形成された接触面に沿って長さ方向に走る軸に対して非対称の断面形状を有する加熱チップを備える。たとえば、図２は、本発明の一実施形態による、第２の加熱チップのほぼ凹型の曲面と接触する第１の加熱チップのほぼ凸型の曲面によって形成された接触面を示すカーリング・アイロンの第１、第２の加熱チップの正面図である。図２に示すように、第１の加熱チップ２１０は、ほぼ凸型の第１の曲面２２６を異なるほぼ凸型の第２の曲面２２８と接合することによって形成されたほぼ楕円形の断面２２４を有する。また、第２の加熱チップ２６０は、ほぼ凹型の曲面２６６で遮られたほぼ円形の曲面２６８によって形成されたほぼ三日月型の断面２６４を有してる。したがって、加熱チップ２１０、２６０が、互いに向かって閉じられるとき、これらは、ほぼ凸型の第１の曲面２２６と第２の加熱チップのほぼ凹型の曲面２６６との接触によって形成された面である接触面２９０を形成する。この例では、加熱チップ２１０は、第１の回転角２４２が、図２に示すように、ゼロ度（すなわち０°）程度である回転軸（たとえば図１の軸１４０を参照）を有する。また、本発明は、１つ又は複数の半円の一部分、線で遮られた楕円形、円形、多角形、長円形、楕円形、台形、正方形、四辺形、矩形、閉曲線、凹型の曲線、凸型の曲線、多面体を含む断面形状などの、加熱チップ断面形状２２４、２６４に対して、他の互いに異なった適切な非対称の形状を企図している。
【００１４】
本発明の実施形態は、図１の軸１４０を参照にして上記で説明したような軸に沿って、１つ又は複数の加熱チップを０°から３６０°の回転角度で回転させることを含む。たとえば、図３は、本発明の一実施形態による第２の加熱チップのほぼ凹型の曲面と接触する第１の加熱チップの第２の異なる凸型の曲面によって形成された接触面を示すカーリング・アイロン加熱チップの正面図である。図３に示すように、接触面３９２は、第１の回転角２４２が、第２の回転角３４２を形成する１８０°程度に回転させられたときの、第１の加熱チップの異なるほぼ凸型の第２の曲面３２８と第２の加熱チップのほぼ凹型の曲面３６６との間の接触によって形成されている。したがって、図３に示すように加熱チップ３１０が加熱チップ３６０と接触するとき、２つの加熱チップの間で押圧された毛髪は、図２に示すものとは異なる接触面に従ってカールされる。図２、図３は、ほぼ凹型の接触曲面と接触するほぼ凸型の曲面によって形成された接触面を示しているが、図２の断面形状２２４、２６４に関連させて上記で説明したあらゆる断面形状の間の接触によって形成された、他の互いに異なった接触面が考慮される。本明細書で使用されるような「押圧する」、「押圧された」、「押圧している」という用語は、チップが扱われ、互いに押圧され、挟み、又は加熱チップの間の毛髪に力を加える加熱チップの間の内側又は前側の接触面を形成し、カーリング・アイロンの加熱チップを互いに閉鎖することを示すことに留意されたい。
【００１５】
本発明の実施形態によると、加熱チップが互いに離隔又は分離され、次に加熱チップの間に形成された接触面で毛髪を押圧するために互いに近づくように、カーリング・アイロンを開放させ、閉鎖させることができる様々なシステムやデバイスが使用されてもよい。たとえば、図４は、本発明の一実施形態による、第２のハンドルと加熱チップが第１のハンドルと加熱チップから遠ざかるように開かせるためのヒンジとばねを示すカーリング・アイロンの側面図である。図４に示すように、ヒンジ４５０は、第２のハンドル４８０と第２の加熱チップ４６０が、第１の回転軸４４０と第２のハンドル４８０の前部面に沿った長さ方向の軸４６４との間に角度Ａを形成するように、第１のハンドル４３０と第１の加熱チップ４１０から遠ざかるように開く。図４に示すような角度Ａは約１０°であるが、角度Ａは、０°から１８０°の間の範囲（たとえば閉鎖時が０°で、開放時が５°から２５°）にあってもよい。また、図４は、第１のハンドル４３０と第２のハンドル４８０を、閉鎖位置（たとえば図１の閉鎖位置１０４を参照）から開放位置４０２へ開いて押し離すためのばね４５２を示している。図４では、ばねがハンドルを互いに離れるように開放すなわち開くのを助けるために示されているが、コイル、ねじりバー、圧縮デバイス（たとえば、ゴム、フォーム、プラスチックなど）、引張りデバイス、カウンタスプリング、ヒンジ、プラスチック・デバイス、プーリ、歯車、さらには力を分離するために設けられる他の様々なデバイス、材料、システムなどの、様々なデバイスやシステムを使用することができる。また、代替となるヒンジ位置が、軸４６４が第２のハンドル４８０の底部と交差する所など、ハンドル４３０、４８０が出会う所に近接してヒンジを配置することなどによって、第２のハンドル４８０と第２の加熱チップ４６０が第１のハンドル４３０と第１の加熱チップ４１０から遠ざかるように開くために使用されてもよい。
【００１６】
また、本発明の実施形態は、単一のカーリング・アイロンの加熱チップによって互いに異なった接触面で毛髪をカールさせることによって毛髪をスタイリングするための方法を提供する。たとえば、第１の加熱要素１１２が、カーリング・アイロン１００の第１の加熱チップ１１０を加熱するために、電力などを用いて加熱され、一方、第２の加熱要素１６２が、カーリング・アイロンの第２の加熱チップ１６０を加熱するために加熱される。いったん加熱チップが適切に加熱された後、開放位置４０２で図示されているように、離隔又は分離され、次にカールされる毛髪の部分が加熱チップの間に挿入される。次に、加熱チップが、第１の加熱チップ１１０と第２の加熱チップ１６０の間の毛髪の部分が、第１の加熱チップのほぼ凸型の第１の曲面２２６と第２の加熱チップのほぼ凹型の曲面２６６との間の接触によって形成された面である第１の接触面２９０と接触する閉鎖位置１０４に閉鎖される。この例では、第１の加熱チップ２１０と第２の加熱チップ２６０が、図２で上記で説明したように、ほぼ楕円形の断面２２４とほぼ三日月型の断面２６４を有することに留意されたい。
【００１７】
次に、第１の接触面２９０によってカールされる毛髪の部分が十分加熱され、加熱チップが再び分離され（たとえば図４の開放位置４０２を参照）、第１の加熱チップ１１０が、毛髪をカールさせるための接触面を変更するために第１の回転角度１４２を変更するために回転させることができる。したがって、上記の第１の接触面２９０でカールされる毛髪の同じ部分を別の接触面で再押圧するか、毛髪の別の部分を別の接触面によって押圧することができる。ここで別の接触面を以下で説明する。
【００１８】
たとえば、第１の加熱チップ１１０が、第１の加熱チップ３１０に沿って長さ方向に第１の回転軸１４０の周りに、０°の第１の回転角度２４２から１８０°の第１の回転角度３４２へ回転１４２させることができる。したがって、第１の加熱チップの異なるほぼ凸型の第２の曲面３２８が、第２の加熱チップ３６０に対して回転させられる。この調節の後、次に、第１の加熱チップの異なるほぼ凸型の第２の曲面３２８と第２の加熱チップの第２のほぼ凹型の曲面３６６との間の接触によって形成された第２の加熱チップの第２の接触面３９２と第１の加熱チップの間で接触した毛髪の部分を押圧するために加熱チップが再び閉鎖される（たとえば、図１の閉鎖位置１０４を参照）。このようにして、本発明は、加熱チップが互いに対してどのように回転させられ又は向けられるかに応じて、様々なカール形状やカールのきつさで毛髪をカールさせるために、互いに異なった接触面を交換することができる、満足の行く、効果的な、効率的な単一のアイロンを提供することができる。
【００１９】
また、本発明の実施形態は、加熱チップを回転させるための互いに異なったデバイス又はシステムを備える。たとえば、図１に示すように、第１の回転可能な結合部１２０は、第１の加熱チップの第１の回転角度１４２を調節するために、第１のハンドル１３０に第１のレバー１２２を有することができる。タブ、フランジ、回転ホイール、スイッチ、フランジ、ディスク、楔、ねじ、ボルト、ナット、キーを含む、加熱チップを係合するための係合デバイス又はそれとのアタッチメント（たとえば図５のシャフト５３６を参照）などの、レバー１２２に対する他の互いに異なったデバイス又はシステムが、加熱チップを回転させるために使用されてもよい。
【００２０】
たとえば、図５は、本発明の一実施形態による、ワイヤ、レバー、レバー切込み、シャフト、スペーサ、加熱要素を示す、カーリング・アイロンの第１のハンドルと加熱チップの平面透視断面図である。図５に示すように、加熱チップ５１０をハンドル５３０と結合するための第１の回転自在な結合部５２０は、第１のレバー５２２を移動できるようにする第１の切込み５３４を備え、その切込みで加熱チップ５１０の第１の回転角度５４２を調節するためにレバーが移動できるようにし、その第１のレバーによる調節を第１の加熱チップに第１のシャフト５３６を介して伝えるようになっている。また、図５は、第１のハンドル５３０を第１の加熱チップ５１０から離すための第１のスペーサ５３８と、第１のシャフト５３６を第１の加熱チップ５１２に取り付けるための第１のアタッチメント５３９と、ヒンジ１５０の軸５５０とを示している。レバー５２２は、加熱チップ５１０を互いに異なった角度まで第１の回転角度５４２を回転させるためのデバイスである。たとえば、第１のレバー５２２は、第１の回転角度５４２を、０°から１８０°の間の範囲の角度に調節するために使用される。５°、１０°、２０°、４５°、９０°、１８０°、さらにはそれらのいずれかの組合せなどの他のさまざまな方向が、所望の接触面を作成するために一方又は両方の加熱チップを回転させるために、同様に使用されてもよいことに留意されたい。図５はまた、第１の加熱要素５１２に電力を供給するための第１のワイヤ又は複数のワイヤ５３２と結合された第１の加熱要素５１２も示している。さらに、ワイヤ５３２は、電源コード５５６と結合されている。図５に示すような構造が、２つの回転自在なチップを有するカーリング・アイロンを提供するために、図５で示した構造を、カーリング・アイロンの第２の加熱チップ、第２のハンドル、第２の構造を形成するために使用されてもよいことに留意されたい。
【００２１】
また、実施形態によると、両方の加熱チップ内の両方の加熱要素に電力を供給するためのワイヤ又は複数のワイヤは、ハンドル内に別に配置するか、（たとえば壁コンセントからなど）電力を供給するための電源コードと別に接続することができ、又は別の電子デバイスと別個に接続するか、及び／又は加熱チップ加熱要素に電力を供給するために並列に電気的に接続することができる。たとえば、図５を参照すると、電源コード５５６は、第１のハンドル５３０を介して第１のワイヤ又は複数のワイヤ５３２に接続されており、又、電源コード５５６は、第２の加熱要素に電力を供給するために第２のハンドルを介して第２のワイヤ又は複数のワイヤと結合される。
【００２２】
図５に示すような電源コード接続部（たとえば第１のワイヤ又は複数のワイヤ５３２との電源コード５５６接続部、及び加熱チップ結合部５２０）に加えて、本発明の実施形態は、カーリング・アイロン・ハンドルへの取外し可能又は脱着可能な加熱チップと電源結合部を備えることもでいる。たとえば、実施形態は、各加熱要素に電力を供給するために各ハンドルに個別の電源接続部を備える。したがって、各個別の電源接続部は、単一の別の電源コードと結合されるか、又は他の電源接続部を備えた電源コードを共有してもよい。さらに、企図された電源コード接続部は、電源コードが電源接続部と接続されるときに取り付けられ、電源コードが取り外されるときに取外しされる取外し可能又は脱着可能な電源接続部を備えることもできる。このようにして、脱着可能な電源接続部が、加熱チップの１つ又は複数の加熱要素に給電するために、各電源コードから１つ又は複数の電源接続部のそれぞれへ電力を与えることができる。本明細書では、「取外し可能」、「分離可能」、「脱着可能」という用語が、本発明の構成要素に損傷を与えることなく、接続かつ取外しされるように設計された結合部、アタッチメント、接続部を示すために交換可能に使用されていることに留意されたい。
【００２３】
たとえば、図１に示すように、脱着可能な電源コード接続部を使用して、加熱要素１６２に電力を供給するために、電源コード１５６を第２のハンドル１８０に接続し、加熱要素１１２に電力を供給するために別の脱着可能な電源コード接続部が、別の電源コード（図示せず）を第１のハンドル１３０と接続するために使用されている。したがって、電源コード１５６を第２のハンドル１８０に接続するために使用される脱着可能な電源コード接続部は、典型的な２つの突き出した壁プラグと類似の接続部、雄／雌電源接続部、及びヘッドホンをステレオ、携帯電話、携帯型サウンド・デバイスのヘッドホン・ジャックと接続するために使用される雄／雌アダプタと類似の接続部を備えてもよい（たとえば、スリーブ内の異なる深さに１つ又は複数の電源接続部を有する雌型受け部が、分離されている電力又は信号を受けるため別個の高さを有するシャフトと結合されてもよい）。
【００２４】
また、図５に示すように、第１のワイヤ又は複数のワイヤ５３２は、第１のシャフト５３６内に配置された複数のワイヤであり、加熱チップの回転又は回転角度に関係なく、１つ又は複数のワイヤに電力を電気的に伝えることができる回転デバイス又はベアリングを通して結合されている。たとえば、電源コード５５６とワイヤ５３２の間の、又はワイヤ５３２とハンドル５３０に沿った、又はシャフト５３６に沿った、又はスペーサ５３８での、又はアタッチメント５３９での電気的結合部は、ヘッドホンをステレオ、携帯電話又は携帯型サウンド・デバイスのヘッドホン・ジャックと接続するために使用される雄／雌アダプタと同様の結合部を備えてもよい。より具体的には、スリーブ内の異なる深さに１つ又は複数の電源接続部を有する雌型コンセントが、分離された電力又は信号を受けるために別個の高さを有するシャフトに結合されてもよい。図５は、シャフト５３６内に配置され、加熱要素５１２に取り付けられたワイヤ５３２、第１のアタッチメント５３９、他の様々なシステム、コネクタ、アタッチメント、電子回路、ワイヤ５３２の機能を提供する又は動作させるための電気デバイスが、加熱チップ５１０を加熱する又は加熱チップ５１２に電力を供給するために使用されてもよいことを示している。
【００２５】
上記で述べたように、本発明の実施形態は、第２のハンドルと回転自在に結合された第２の回転自在な加熱チップを提供するために図５のものと同様の構造、ならびに、図５に示すような第１の加熱チップ及びハンドルとともに使用するための第２の回転自在な加熱チップを提供するための様々な他の構造及びシステムを有してもよい。たとえば、図６は、本発明の一実施形態による、第１の加熱チップを第１の軸の周りに回転させるため、かつ第２の加熱チップを第２の軸の周りに回転させるための、２つの回転自在な結合部と、レバーを有するカーリング・アイロンの側面図である。図６は、第２の加熱チップ６６０を第２の回転角度６４４に回転させるための第２のハンドル６８０に沿った長さ方向の第２の回転軸６６８を有する第２の回転自在な結合部６７０を示している。また、第２の回転自在な結合部６７０は、第２の加熱チップ６６０の第２の回転角度６４４を調節するための、第２のハンドル６８０の第２のレバー６７２を備える。たとえば、第２のレバー６７２は、図５の角度５４２を参照にして上記で説明したように、０°から１８０°の間の範囲の角度に第２の角度６４４を変更するために、第２の切込み内６８４内で調節でき、又は移動させられてもよい。図６はまた、第２回転軸６４０の周りに回転角度６４２へ回転させるために、第１のレバー６２２、スペーサ６３８を有する回転自在な結合部６２０を介して第１のハンドル６３０と回転自在に結合された第１の加熱チップ６１０を示している。また、図６のカーリング・アイロンは、ヒンジ６５０と電源コード６５６を有し、さらに加熱チップ６１０と加熱チップ６６０が閉鎖位置で互いに接触させたときに形成される、第１のハンドル６３０の第１の前部面と第２のハンドル６８０の第２の前部面の間の隙間空間６５７を有する。
【００２６】
図６に示すように、第２の切込み６８４は、第２のレバー６７２が、加熱チップ６６０をある所望の回転方向を超えて第２の回転角度６４４へ回転させることを防止するような形状を有している。たとえば、第２のレバー６７２が、切込み６８４の一方の最大まで調節されたときの方向を０°と決め、第２のレバー６７２が、第２の切込み６８４によって提供される別の最大の位置すなわち方向に回転すなわち調節されたときの位置が、０°の方向に対して１８０°の第２の回転角６４４を規制する。他の互いに異なった位置と方向を、第１、第２の加熱チップの回転角を調節するために設けられ、すなわち決められてもよいことに留意されたい。たとえば、レバーの切込みが、加熱チップの互いに異なった回転角に対応する互いに異なった方向識別マークを伴って異なる位置に設けられても良い。また、レバーは、選択された方向へ、又はその方向を通って回転するとき、レバーの「クリッキング」などによって、感じることができる方向設定手段を備えてもよい。さらに、回転システムやその駆動又は調節の技術分野で公知であるような同様の別の方法を、加熱チップの調節又は回転中、その回転角又は回転角設定を使用者が区別又は識別できるように使用することができる。
【００２７】
また、本発明の実施形態は加熱チップをハンドルに結合する脱着可能な結合部と回転脱着可能な結合部を備える。たとえば、図７は、本発明の一実施形態による、カーリング・アイロンで用いるハンドル・グリップと交換可能な異なる長さの加熱チップを示している、カーリング・アイロン・ハンドル、脱着可能な結合部、取外し可能な加熱チップの側面図である。図７に示すように、第１の脱着可能な結合部７２０が、第１の加熱チップ７１０を第１のハンドル７３１に取り付けたり外したりするために使用され、第２の脱着可能な結合部７７０が、第２の加熱チップ７６０を第２のハンドル７８１に取り付けたり外したりするために使用される。第１の脱着可能な結合部７２０及び／又は第２の脱着可能な結合部７７０は、図１の第２の結合部１７０を参照して上記で説明したような固定された結合部であってもよく、及び／又は図１の結合部１２０や図５の回転自在な結合部５２０を参照して上記で説明したような回転自在な結合部であってもよい。
【００２８】
また、図７は、第２のレバー７８２で行われた調節を第２の加熱チップ７６０へ伝えるために第２のシャフト７８６と結合されている第２のレバー７８２を示している。第２のスペーサ７８８が第２のハンドル７８１を第２の加熱チップ７６０から離す。同様に、第１のシャフト７３６が第１の加熱チップ７１０に取り付けられ、そのチップは第１のスペーサ７３８によって第１のハンドルから離される。また、図７は、加熱チップを開放位置や閉鎖位置へ操作する、互いに押圧される、挟む、又は接触面に沿って加熱チップ間に力を加えるために把持されるハンドルの双方の接触面が離れている、第１のハンドルの後部の第１の把持領域７３１と第２のハンドルの後部の第２の把持領域７８１を示している。
【００２９】
したがって、本カーリング・アイロンの実施形態は、上記で説明したようなカーリング・アイロン・ハンドルに取り付けたり外したりすることができ、互いに異なった断面形状、互いに異なった長さ、互いに異なった加熱能力、互いに異なった面材料、さらに所望のカーリングし及び／又は平坦にするための互いに異なった機能を有する、異なる長さの加熱チップを備えている。たとえば、２３／８”（約７cm）の長さの加熱チップ６１０、６６０として図６で示されたより短く「獅子鼻状の」加熱チップを、４”（約１０cm）の長さである図７のより長くより細い加熱チップ７１０、７６０と交換させることができる。その交換は、加熱チップ６１０、６６０をハンドル６３０、６８０から滑り出させ、それらを、結合部７２０、７７０などである脱着可能な結合部で第１、第２のハンドル内にシャフト７３６、７８６を滑り込ませることによって行うことができる。脱着可能な結合部でハンドルに取り付け又は取り外すための異なる長さの加熱チップは、孔、シャフト、フランジ付き包囲部、スリーブ、ねじ、クランプ、キーパー、キー、ロック、ラッチ、スナップ・ファスナ、さらにはハンドルにチップを取り付けたり外したりできる他の互いに異なったロッキング及び／又は取外し可能なアタッチメントを含むものなどの互いに異なったコネクタ又はシステムを有する脱着可能な結合技術を備えてもよいことに留意されたい。たとえば、１インチ（約２．５４cm）から７インチ（約１７．８cm）の範囲の長さを有する加熱チップが、加熱チップシャフト（たとえば、シャフト７３６、７８６）をハンドルスリーブ内へ滑動させることによってハンドルに脱着可能に結合させるようにしていもよい。スリーブは、（たとえば、図５のワイヤ５３２の電気結合部を参照にして上記で説明したように）シャフトと係合し、加熱チップの加熱要素に電気的に接続するためのものである。
【００３０】
また、実施形態によると、脱着可能な結合部は、加熱チップがハンドルに取り付けられるときに取り付けられ、加熱チップが取り外されるときに取外される脱着可能な電気接続部を備える。この脱着可能な電気接続部は、ハンドル内の１つ又は複数のワイヤから加熱チップの１つ又は複数の加熱要素へ電力を伝えることができる。たとえば、脱着可能な結合部７２０とシャフト７３６の間の脱着可能な電力接続部は、図５のワイヤ５３２の電気接続部を参照にして上記で説明したような、ヘッドホンをステレオ、携帯電話、携帯型サウンド・デバイスのヘッドホン・ジャックと接続するために使用される雄／雌アダプタと同様の結合部を備えてもよい。
【００３１】
また、本発明の実施形態は、カール付けする断面形状の部分のほかにほぼ平坦な断面形状の部分を有する加熱チップを備えているので、毛髪をカールさせる断面形状の部分に毛髪を押圧することによってカールさせ、次に、ハンドル及びチップに対して長さ方向軸の周りに加熱チップを回転させ、毛髪を真直ぐにする又は平らにするためにほぼ平坦な断面の接触面を毛髪の一部に対して閉じることができるようにしている。たとえば、図８は、本発明の一実施形態による、第２の加熱チップのほぼ凹型の曲面と接触する第１の加熱チップのほぼ凸型の曲面によって形成された接触面を示すカーリング・アイロンの２つの加熱チップの正面図である。図８に示すように、第１の加熱チップ８１０は、ほぼ凸型の第１の曲面８２６が、異なるほぼ凸型の第２の曲面８２８と結合され、さらに前記ほぼ凸型の第１の曲面８２６と向き合うように配置された第１のほぼ平坦な断面形状８２９とも接合されたほぼ楕円形の断面８２４を有する。また、第２の加熱チップ８６０は、ほぼ凹型の曲面８６６で中断されたほぼ円形の曲面８６８によって形成され、ほぼ凹型の曲面８６６と対向して配置された第２のほぼ平坦な断面形状８６９を有するほぼ三日月型の断面８６４を有する。したがって、図８に示す構造は、第１の加熱チップのほぼ凸型の第１の曲面８２６と第２の加熱チップのほぼ凹型の曲面８６６との接触によって形成される接触面８９４とするようにして、毛髪の部分の上でチップ８１０、８６０を閉じることによって、毛髪をカールさせることができる。また、上記で説明したような図２及び図３の加熱チップ２１０、２６０、３１０、３６０、接触面２９０、３９２、及び断面形状２２４、２６４を参照にして上記で説明したように、他の互いに異なった断面形状と接触面を形成させることができる。
【００３２】
図８の加熱チップ８１０、８６０を回転させることによって、接触面が、毛髪を平らにする又は真直ぐにするようにされる。たとえば、図９は、本発明の一実施形態による第２の加熱チップのほぼ平坦な面と接触する第１の加熱チップのほぼ平坦な面によって形成された接触面を示す、２つのカーリング・アイロン加熱チップの正面図である。図９に示すように、ほぼ平坦な接触面９９６は、第１のほぼ平坦な断面形状９２９と第２のほぼ平坦な断面形状９６９との接触によって形成された面として形成される。したがって、たとえば、チップ８１０を、第１の回転角８４２から１８０°程度回転した第１の回転角９４２へ回転させることによって、さらに第２の加熱チップ８６０を第２の回転角８４４から１８０°程度回転した第２の回転角９４４へ回転させることによって、毛髪を平らにする又は真直ぐにするためにほぼ、平坦な接触面９９６を使用することができる。
【００３３】
実施形態によると、チップを閉鎖又は開放位置にして、加熱チップを所定の回転角に回転させることができる。また、実施形態は、所望の接触面（たとえば、２９０、３９２、８９４及び９９６を参照）を得るために、ハンドル及び／又は加熱チップの長さ方向に走る互いに異なった軸（たとえば、１４０、４４０、６４０、６６８、７４２、７４４、９４５を参照）の周りに所定の回転角（たとえば１４２、２４２、３４２、５４２、６４２、６４４、８４２、８４４、９４２、９４４を参照）へ加熱チップを回転させることを含む。たとえば、第２の加熱チップは、図８に示すような軸の周りに、第２の回転角８４４へ回転してもよい、又は図９に示すような新しい回転点又は軸９４５の周りで、第２の回転角９４４へ回転してもよい。
【００３４】
また、本発明の実施形態は、単一のカーリング・アイロンの加熱チップによって形成される互いに異なった接触面で、毛髪をカールさせたり、毛髪を真直ぐにすることによって毛髪をスタイリングする方法を提供する。たとえば、第１の加熱要素１１２が、カーリング・アイロン１００の第１の加熱チップ１１０を加熱するために、電気的になどで加熱される一方、第２の加熱要素１６２が、カーリング・アイロン１００の第２の加熱チップ１６０を加熱するために加熱されてもよい。いったん加熱チップが適切に加熱された後、第１の加熱チップ１１０を第２の加熱チップ１６０から離れるように開放位置４０２で示されているような開放位置へ開かせることによってこれらが分離される。カール付けされる毛髪の部分が次に加熱チップの間に挿入さる。第１の加熱チップ１１０と回転自在に結合された第１のハンドル１３０が、加熱チップを閉鎖位置１０４に閉鎖し、加熱チップをカール付けされる毛髪と接触させるために、第２の加熱チップ１６０と回転自在に結合された第２のハンドル１８０に向かって次に閉じられる。閉じられた加熱チップは、第１の加熱チップのほぼ凸型の第１の曲面８２６と第２の加熱チップのほぼ凹型の曲面２８６の間の接触によって形成された面である第１の接触面８９４によって、第１の加熱チップ８１０と第２の加熱チップ８６０の間で毛髪の部分と接触する。この例では、第１の加熱チップ８１０と第２の加熱チップ８６０がそれぞれ、図８で上記で説明したように、ほぼ楕円形の断面８２４とほぼ三日月型の断面８６４を有することに留意されたい。次に、第１の接触面８９４によってカール付けされる毛髪の部分が十分に加熱されると、加熱チップを再び離することができる（たとえば図４の開放位置４０２を参照）。
【００３５】
次に、第１の加熱チップ８１０が、毛髪をカールさせるための面（たとえば、接触面８９４を参照）から、毛髪の真直ぐにする又は平坦にするための面（たとえば図９の接触面９９６を参照）に接触面を変更するために、第１の回転角８４２を変更させるために回転させられ、第２の加熱チップ８６０が、第２の回転角８４４を変更するように回転させられる。したがって、第１のカール付け接触面でカールされた毛髪の同じ部分を、別の平坦にした接触面で再び押しつけることができる、又は毛髪の別の部分が、平坦な接触面で押圧される。
【００３６】
たとえば、第１のレバー６２２が、第１のハンドル６３０に沿った長さ方向の第１の回転軸６４０の周りに、０°の第１の回転角８４２から１８０°の第１の回転角９４２へ、第１の加熱チップ８１０を回転させることができように調節される。同様に、第２のレバー６７２が、第２のハンドル６８０に沿った長さ方向の第２の回転軸６６８の周りに０°の第２の回転角８４４から、１８０°の第２の回転角９４４へ、第２の加熱チップ８６０を回転させることができるように調節される。したがって、第１の加熱チップの第１のほぼ平坦な断面形状８２９を、第２の加熱チップ８６０に向かって回転させることができ、第２の加熱チップの第２のほぼ平坦な断面形状８６９を、第１の加熱チップ８１０に向かって回転させることができる。
【００３７】
第１、第２のレバーの調節後、加熱チップを、次に互いに向かうように再び回し、真直ぐにされる毛髪の部分を押圧するように閉じられる（たとえば図１の閉鎖位置１０４を参照）。閉じられた加熱チップが、第１の加熱チップの第１のほぼ平坦な断面形状８２９と第２の加熱チップの第２のほぼ平坦な断面形状８６９との間の接触によって形成された面である面９９６で、第１の加熱チップ９１０と第２の加熱チップ９６０の間の毛髪の部分と接触する。このようにして、本発明は、いかにして加熱チップが互いに対して回転される又は向けるかに応じて、様々なカール形状とカールのきつさで毛髪をカールさせる、及び毛髪を平坦にする又は真直ぐにするために、互いに異なった接触面の間で十分かつ交換可能に交代させることができる、効果的かつ効率的な単一のアイロンを提供することができる。
【００３８】
一実施形態では、カーリング・アイロンデバイスは、長さ１９０ミリメートル（「mm」）程度の全長と、長さ１２０mm程度のハンドルと、長さ７０mm程度の加熱チップとを有する。また、各ハンドルは、ハンドルの底部から長さ約６５mm程度（たとえば、ヒンジが配置されたハンドルの端部から６５mm）の所に、レバー及び／又は切込みを有してもよい。また、レバー及び切込みが、幅約８mm程度の所にあってもよい。
【００３９】
また、実施形態によると、閉鎖位置にあるとき、互いに閉じられた２つのハンドルは、２５mmから３０mmの間の半径を有し、互いに閉じられた２つの加熱チップは、約２５mmの半径を有する。また、第１の加熱チップのほぼ楕円形の断面は、軸（たとえば、第１の回転軸１４０又は第１の回転角２４２）を通って、ほぼ凸型の第１の曲面の中点から、異なるほぼ凸型の第２の曲面の中点まで１０．３mm程度であり、ほぼ凸型の第１の曲面が異なるほぼ凸型の第２の曲面と接合する２つの点の間が約５０mmの所（たとえば、接触面２９０の縁部）にある。また、第１の加熱チップの異なるほぼ凸型の第２の曲面は、長さ約２６mm程度の大きさの半径を有してもよい。
【００４０】
同様に、実施形態では、第２の加熱チップのほぼ三日月型の断面は、２６mm程度の半径を有するほぼ円形の曲面を有し、軸（たとえば、第２の回転軸６６８又は第２の回転角８４４）を通ってほぼ円形の曲面の中点から約１６．３mmで、ほぼ円形の曲面が凹型の曲面と交差するほぼ２つの点の間（たとえば接触面２９０の縁部）が約５０mmで、ほぼ凹型の曲面と交差している。同様に、実施形態の第１の加熱チップ（たとえば、第１のほぼ平坦な断面形状８２９又は第２の回転角８４４）と第２の加熱チップ（たとえば、第２のほぼ平坦な断面形状８６９）のほぼ平坦な断面形状は、長さ約２０mm程度の大きさであってよい（たとえば接触面９９６の縁部）。
【００４１】
本発明によって企図されたカーリング・アイロンの実施形態の構成部品、ハンドル、グリップ、チップ、レバー、切込み、シャフト、スペーサ、電子構成部品及び回路、加熱要素及びその他の部品は、鍛造、鋳造、射出成形、フライス切削、彫刻、締結、形削り、被着、エッチング、ドーピングなどの互いに異なった方法によっての互いに異なった材料によろ製造、及び、金属、プラスチック、木材、コルク、ゴム、チタニウム、アルミニウム、ステンレス鋼、合金、複合材、陶器、樹脂、エポキシ、半導体材料及び他の互いに異なった適切な材料を含む、互いに異なった材料から形成することを含む。
【００４２】
上記の明細書では、本発明は、その特定の実施形態を参照にして説明されてきた。しかし、互いに異なった修正及び変更が、頭記の特許請求の範囲に述べたような本発明のより広い精神及び範囲を逸脱せずに行われることができることは、明らかであろう。したがって、明細書及び図面は、限定的な意味ではなく例示的なものであるとみなされたい。
【図面の簡単な説明】
【００４３】
【図１】本発明の一実施形態による、第１の回転自在な結合部を有するカーリング・アイロンの側面図である。
【図２】本発明の一実施形態による、第２の加熱チップのほぼ凹型の曲面と接触する第１の加熱チップのほぼ凸型の曲面によって形成された接触面を示す、カーリング・アイロンの第１、第２の加熱チップの正面図である。
【図３】本発明の一実施形態による、第２の加熱チップのほぼ凹型の曲面と接触する第１の加熱チップの異なるほぼ凸型の第２の曲面によって形成された接触面を示す、示すカーリング・アイロン加熱チップの正面図である。
【図４】本発明の一実施形態による、第２のハンドル及び加熱チップが第１のハンドル及び加熱チップから遠ざかるように開くことを可能にするヒンジ及びばねを示す、カーリング・アイロンの側面図である。
【図５】本発明の一実施形態による、ワイヤ、レバー、レバー切込み、シャフト、スペーサ及び加熱要素を示す、カーリング・アイロンの第１のハンドル及び加熱チップの上部断面透視図である。
【図６】本発明の一実施形態による、第１の加熱チップを第１の軸の周りに回転させるためと第２の加熱チップを第２の軸の周りに回転させるための２つの回転自在な結合部及びレバーを有するカーリング・アイロンの側面図である。
【図７】本発明の一実施形態による、カーリング・アイロンで使用するためのハンドル・グリップ及び交換可能な異なる長さの加熱チップを示す、カーリング・アイロン・ハンドル、脱着可能な結合部、及び取外し可能な加熱チップの側面図である。
【図８】本発明の一実施形態による、第２の加熱チップのほぼ凹型の曲面と接触する第１の加熱チップのほぼ凸型の曲面によって形成された接触面を示す、２つのカーリング・アイロン加熱チップの正面図である。
【図９】本発明の一実施形態による、第２の加熱チップのほぼ平坦な面と接触する第１の加熱チップのほぼ平坦な面によって形成された接触面を示す、２つのカーリング・アイロン加熱チップの正面図である。
【図１】
2005538797.tif 000003
【図２】
2005538797.tif 000004
【図３】
2005538797.tif 000005
【図４】
2005538797.tif 000006
【図５】
2005538797.tif 000007
【図６】
2005538797.tif 000008
【図７】
2005538797.tif 000009
【図８】
2005538797.tif 000010
【図９】
2005538797.tif 000011
【国際調査報告】
2005538797.tif 000012